Podtech/llm-jp-corpus-v4-ja_patent huggingface dataset:
【手続補正書】
【提出日】令和2年6月23日(2020.6.23)
【手続補正１】
【補正対象書類名】明細書
【補正対象項目名】発明の名称
【補正方法】変更
【補正の内容】
【発明の名称】合成インダクタ、フィルタ回路、較正方法、較正装置並びに回路シミュレーション
【手続補正２】
【補正対象書類名】特許請求の範囲
【補正対象項目名】全文
【補正方法】変更
【補正の内容】
【特許請求の範囲】
【請求項１】
入力ノード及び出力ノードと、
電源に接続された非反転相互コンダクタンス増幅器であって、前記入力ノードに接続された出力端子において、入力電圧に正比例する出力電流を供給する、非反転相互コンダクタンス増幅器と、
前記電源に接続され、かつ前記入力ノードを介して前記非反転相互コンダクタンス増幅器に接続された電圧増幅器と、
前記電源に接続され、かつ前記電圧増幅器の出力と直列に接続された積分器であって、該積分器の入力が前記出力ノードと基準ノードに接続された積分器と、を備える、合成インダクタ。
【請求項２】
前記積分器は、
前記電源に接続された演算増幅器であって、該演算増幅器は、正入力端子及び負入力端子並びに出力端子を有する、演算増幅器と、
該負入力端子と該出力端子との間に接続されたコンデンサと、
前記電圧増幅器と該負入力端子との間に接続された抵抗器と、を更に備える、請求項１に記載の合成インダクタ。
【請求項３】
前記電圧増幅器は、演算増幅器である、請求項１に記載の合成インダクタ。
【請求項４】
前記演算増幅器は、４象限ＣＭＯＳデジタル／アナログ変換器（ＤＡＣ）により設定される利得を有する、請求項３に記載の合成インダクタ。
【請求項５】
前記電圧増幅器は、トランジスタである、請求項１に記載の合成インダクタ。
【請求項６】
基準ノードが接地端子であり、前記出力端子と前記接地端子との間の既知の値の合成インダクタンスを生成する、請求項１に記載の合成インダクタ。
【請求項７】
１つ又は２つ以上の抵抗器及び１つ又は２つ以上のコンデンサに接続された請求項１に記載の合成インダクタを備える、フィルタ回路。
【請求項８】
前記フィルタ回路は、ノッチフィルタ又はバンドパスフィルタのうちの１つ又は２つ以上を含む、請求項７に記載のフィルタ回路。
【請求項９】
電気計器を、入力ノード、非反転相互コンダクタンス増幅器、電圧増幅器、積分器段及び出力ノードを含むインダクタンス合成回路に接続することであって、該インダクタンス合成回路が既知の値のインダクタンスを生成する、ことと、
前記電気計器を使用して、該インダクタンス合成回路のインダクタンスを測定すること、
該測定したインダクタンスと前記既知の値のインダクタンスとの間の差を決定することと、
該測定したインダクタンスが前記既知の値のインダクタンスと実質的に一致するように、該電気計器を、選択した許容範囲内において、調整することと、を含む、較正方法であって、
非反転相互コンダクタンス増幅器が電源に接続され、該非反転相互コンダクタンス増幅器が、出力端子において、入力電圧に正比例する出力電流を供給し、さらに、前記出力端子が前記入力ノードに接続されており、
前記電圧増幅器が前記電源に接続され、かつ前記入力ノードを介して前記非反転相互コンダクタンス増幅器に接続され、さらに、
前記積分器段が前記電源に接続され、かつ前記電圧増幅器の出力と直列に接続され、該積分器の入力が前記出力ノードと基準ノードに接続された、較正方法。
【請求項１０】
前記非反転相互コンダクタンス増幅器は、前記積分器段と前記電圧増幅器とに接続されている、請求項９に記載の方法。
【請求項１１】
前記積分器段は、
正入力端子、負入力端子、出力端子、及び該負入力端子を該出力端子に接続するフィードバックループを有する演算増幅器と、
該負入力端子に接続された抵抗器と、
該フィードバックループ内にあるコンデンサと、を含む、請求項９に記載の方法。
【請求項１２】
電気回路及び回路部品の較正に使用するための較正装置であって、該較正装置は、ループ状に配置された非反転相互コンダクタンス増幅器、電圧増幅器、及び積分器段を含むインダクタンス合成回路を備え、該インダクタンス合成回路は、該ループ内のノードと基準ノードとの間の既知の合成インダクタンスを生成する、較正装置。
【請求項１３】
抵抗合成回路及び容量合成回路を更に備える、請求項１２に記載の較正装置。
【請求項１４】
前記インダクタンス合成回路は、電源を更に備え、前記積分器段は、容量性フィードバックループ及び抵抗器を含む、請求項１２に記載の較正装置。
【請求項１５】
前記抵抗器は、４象限ＣＭＯＳデジタル／アナログ変換器である、請求項１４に記載の較正装置。
【請求項１６】
回路の性能をモデル化することをマイクロプロセッサによって実行可能にする回路シミュレーションであって、該回路シミュレーションは、該マイクロプロセッサに接続された非一時的電子メモリに記憶されており、該回路シミュレーションは、
該回路への１つ又は２つ以上の入力の記述と、
該回路からの１つ又は２つ以上の出力の記述と、
合成インダクタの記述と、を含み、該合成インダクタは、
電源と、
該電源に接続された非反転相互コンダクタンス増幅器であって、前記回路への１つ又は２つ以上の入力のうち少なくとも一つに接続する出力端子において、入力電圧に正比例する出力電流を供給する、非反転相互コンダクタンス増幅器と、
該電源に接続され、かつ該非反転相互コンダクタンス増幅器と並列に接続された電圧増幅器であって、該電圧増幅器への入力が前記回路への入力および上記非反転相互コンダクタンス増幅器の出力端子へ接続された電圧増幅器と、
該電源に接続され、かつ該電圧増幅器の出力と直列に接続された積分器であって、    該電源に接続され、かつ正入力端子及び負入力端子並びに出力端子を有する演算増幅器と、該負入力端子と該出力端子との間に接続されたコンデンサと、該電圧増幅器と該負入力端子との間に接続された抵抗器とを含む積分器と含み、
前記積分器の入力が前記回路からの１つ又は２つ以上の出力のうち少なくとも一つと基準ノードに接続されている回路シミュレーション。
【請求項１７】
前記回路は、バンドパスフィルタ及びノッチフィルタのうちの１つ又は２つ以上を含むフィルタ回路である、請求項１６に記載の回路シミュレーション。
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
カメラを較正するコンピュータ実装方法であって、
ａ．ビデオストリームを前記カメラ（ＣＡＭ）から取得し、それをスクリーン（ＤＹ）上に表示するステップと、
ｂ．前記スクリーン上に、前記ビデオストリームに重ね合わされる、目標エリア（１０２）の表現を表示するステップと、
ｃ．較正パターン（１００）を前記ビデオストリーム内で検出し、それが、前記目標エリアの中で適合するかどうかを周期的にチェックするステップと、
ｄ．前記較正パターンが前記目標エリアの中で適合することが見出されたときに、前記較正パターンの画像を前記ビデオストリームから抽出し、それを記憶するステップと
を備え、
前記ステップａ．からｄ．は、互いに異なるそれぞれの目標エリアを使用して複数回反復され、各々の目標エリアは、前記較正パターンの、それを担持する物理的支持体（１０１）がそれぞれの位置を前記カメラの視野の中でとるときに前記カメラにより確認されるような、外形に対応し、前記コンピュータ実装方法は、次いで、
ｅ．前記カメラの内部較正パラメータを、前記記憶された画像を処理することにより推定するステップ
を備えることを特徴とするコンピュータ実装方法。
【請求項２】
前記ステップｃ．は、前記較正パターンが、前記目標エリアの少なくともあらかじめ決定された割合を満たすかどうかをチェックするステップを備えることを特徴とする請求項１に記載のコンピュータ実装方法。
【請求項３】
前記ステップｃ．は、前記較正パターンの少なくとも１つの縁部（２０２）を検出し、前記目標エリアの対応する縁部（２０１）とのその平行度をチェックするステップを備えることを特徴とする請求項１または２に記載のコンピュータ実装方法。
【請求項４】
前記ステップｃ．は、前記較正パターンの少なくとも２つの縁部を検出し、前記縁部の間の角度を測定し、それを、前記目標エリアの２つの対応する縁部の間の角度と比較するステップを備えることを特徴とする請求項１乃至３のいずれか一項に記載のコンピュータ実装方法。
【請求項５】
前記ステップｃ．は、前記較正パターンの少なくとも１つの隅部（２０６）を検出し、前記目標エリアの対応する隅部（２０５）に対するその近接度をチェックするステップを備えることを特徴とする請求項１乃至４のいずれか一項に記載のコンピュータ実装方法。
【請求項６】
−  前記較正パターンの点と、前記目標エリアの対応する点との間の距離、
−  前記較正パターンの点を、前記目標エリアの対応する点と合致させるために要される並進の方向、および、
−  前記較正パターンの幾何学的要素と、前記目標エリアの幾何学的要素との間の対応関係
の、少なくとも１つを指示する、少なくとも１つのグラフィカルパターン（２０３、２０４）を、前記スクリーン上に表示するステップｃ’をさらに備えることを特徴とする請求項１乃至５のいずれか一項に記載のコンピュータ実装方法。
【請求項７】
ステップａ．からｄ．は、１０から２０の間に含まれる複数回分、前記物理的支持体の異なる位置に対応する、それぞれの目標エリアを使用して反復されることを特徴とする請求項１乃至６のいずれか一項に記載のコンピュータ実装方法。
【請求項８】
前記物理的支持体の前記位置の少なくとも過半数は、前記カメラの光学軸に垂直でも平行でもないことを特徴とする請求項１乃至７のいずれか一項に記載のコンピュータ実装方法。
【請求項９】
前記較正パターンは、平面パターンであることを特徴とする請求項１乃至８のいずれか一項に記載のコンピュータ実装方法。
【請求項１０】
前記ステップｅ．は、Ｚｈａｎｇのアルゴリズムを使用して実行されることを特徴とする請求項１乃至９のいずれか一項に記載のコンピュータ実装方法。
【請求項１１】
カメラ（ＣＡＭ）にインターフェイス接続されるコンピュータシステムに、請求項１乃至１０のいずれか一項に記載の方法を実行させるためのコンピュータ実行可能命令を備える、コンピュータプログラム。
【請求項１２】
カメラにインターフェイス接続されるコンピュータシステムに、請求項１乃至１０のいずれか一項に記載の方法を実行させるための、コンピュータ実行可能命令を含むことを特徴とするコンピュータ可読データ記憶媒体（Ｍ１、Ｍ２、Ｍ３、Ｍ４）。
【請求項１３】
メモリ（Ｍ１、Ｍ２、Ｍ３、Ｍ４）と、スクリーン（ＤＹ）と、カメラ（ＣＡＭ）とに結合されるプロセッサ（Ｐ）を備えるコンピュータシステムであって、前記メモリは、前記コンピュータシステムに、請求項１乃至１０のいずれか一項に記載の方法を実行することにより前記カメラを較正させるための、コンピュータ実行可能命令を記憶することを特徴とするコンピュータシステム。
【手続補正書】
【提出日】令和1年12月26日(2019.12.26)
【手続補正１】
【補正対象書類名】特許請求の範囲
【補正対象項目名】請求項２
【補正方法】変更
【補正の内容】
【請求項２】
前記カートリッジ体は、前記化粧料が収容される貫通孔を有するカートリッジ外筒と、
前記カートリッジ外筒に移動可能に収容され、前記化粧料を保持する保持部材と、を備え、
前記カートリッジ体が前記本体筒に取り付けられる際に、前記カートリッジ体が前記雌ねじ部材を押圧する事で螺合機構を構成するとともに、前記カートリッジ体側に前記押棒と係合する回転止機構を構成したことを特徴とする請求項１に記載のカートリッジ式化粧料容器。
【手続補正２】
【補正対象書類名】特許請求の範囲
【補正対象項目名】請求項１０
【補正方法】変更
【補正の内容】
【請求項１０】
前記保持部材は、前記押棒が繰り出されたときに前記押棒により押圧されて前記カートリッジ体内の前記化粧料を押し出すことを特徴とする請求項２から９のいずれか１項に記載のカートリッジ式化粧料容器。
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
第１始動口への入球に基づいて第１特別図柄に関する第１抽選を行う第１抽選手段と、
第２始動口への入球に基づいて第２特別図柄に関する第２抽選を行う第２抽選手段と、
前記第１抽選の結果に基づいて、前記第１特別図柄を変動表示し、所定の表示結果を導出させる第１特別図柄表示制御手段と、
前記第２抽選の結果に基づいて、前記第２特別図柄を変動表示し、所定の表示結果を導出させる第２特別図柄表示制御手段と、
前記第１始動口に入球したものの未だ前記第１特別図柄の変動表示が行われていない第１保留情報を記憶する第１保留情報記憶手段と、
前記第２始動口に入球したものの未だ前記第２特別図柄の変動表示が行われていない第２保留情報を記憶する第２保留情報記憶手段と、
通常の遊技状態よりも前記第２始動口への入球可能性を高め得る特定遊技状態に制御し得る遊技状態制御手段と、を備え、
前記第２抽選の結果が小当りの場合に小当り遊技を実行し、該小当り遊技中に遊技球が特定領域を通過することで所定の遊技利益を遊技者に付与しうるものであり、
前記第２抽選は、前記第１抽選よりも前記小当りに当選する可能性が高いものであり、
前記遊技状態制御手段は、前記特定遊技状態中に前記第１特別図柄の変動表示が第１の回数行われたときと、前記特定遊技状態中に前記第２特別図柄の変動表示が第２の回数行われたときに、前記特定遊技状態を終了させるものであり、
前記第１の回数は、前記第１保留情報記憶手段に記憶される前記第１保留情報の上限数よりも多い値である
ことを特徴とする遊技機。
【手続補正２】
【補正対象書類名】明細書
【補正対象項目名】０００３
【補正方法】変更
【補正の内容】
【０００３】
また、大当り遊技状態の終了後に通常時に比べて特定の始動口へ遊技球が入球する確率が高められた時短状態に制御する遊技機が多数提案されている（例えば、特許文献１）。
【手続補正３】
【補正対象書類名】明細書
【補正対象項目名】０００５
【補正方法】変更
【補正の内容】
【０００５】
しかしながら、上記した遊技機では、大当り遊技状態の終了後に時短状態に制御された場合に通常時と比べて特定の始動口へ遊技球が入球する確率が高められることで単位時間当たりの大当り発生確率は高まるものの、時短状態で実行される遊技態様については通常時とほとんど変わらないため、遊技自体の面白みに欠け、結果として遊技興趣を低下させるおそれがある。
【手続補正４】
【補正対象書類名】明細書
【補正対象項目名】０００７
【補正方法】変更
【補正の内容】
【０００７】
上記した目的を達成するために、請求項１に係る発明においては、
第１始動口への入球に基づいて第１特別図柄に関する第１抽選を行う第１抽選手段と、
第２始動口への入球に基づいて第２特別図柄に関する第２抽選を行う第２抽選手段と、
前記第１抽選の結果に基づいて、前記第１特別図柄を変動表示し、所定の表示結果を導出させる第１特別図柄表示制御手段と、
前記第２抽選の結果に基づいて、前記第２特別図柄を変動表示し、所定の表示結果を導出させる第２特別図柄表示制御手段と、
前記第１始動口に入球したものの未だ前記第１特別図柄の変動表示が行われていない第１保留情報を記憶する第１保留情報記憶手段と、
前記第２始動口に入球したものの未だ前記第２特別図柄の変動表示が行われていない第２保留情報を記憶する第２保留情報記憶手段と、
通常の遊技状態よりも前記第２始動口への入球可能性を高め得る特定遊技状態に制御し得る遊技状態制御手段と、を備え、
前記第２抽選の結果が小当りの場合に小当り遊技を実行し、該小当り遊技中に遊技球が特定領域を通過することで所定の遊技利益を遊技者に付与しうるものであり、
前記第２抽選は、前記第１抽選よりも前記小当りに当選する可能性が高いものであり、
前記遊技状態制御手段は、前記特定遊技状態中に前記第１特別図柄の変動表示が第１の回数行われたときと、前記特定遊技状態中に前記第２特別図柄の変動表示が第２の回数行われたときに、前記特定遊技状態を終了させるものであり、
前記第１の回数は、前記第１保留情報記憶手段に記憶される前記第１保留情報の上限数よりも多い値であることを特徴とする（例えば、段落０８１４〜０８１８参照）。
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
第１始動口への入球に基づいて第１特別図柄に関する第１抽選を行う第１抽選手段と、
第２始動口への入球に基づいて第２特別図柄に関する第２抽選を行う第２抽選手段と、
前記第１抽選の結果に基づいて、前記第１特別図柄を変動表示し、所定の表示結果を導出させる第１特別図柄表示制御手段と、
前記第２抽選の結果に基づいて、前記第２特別図柄を変動表示し、所定の表示結果を導出させる第２特別図柄表示制御手段と、
通常の遊技状態よりも前記第２始動口への入球可能性を高め得る特定遊技状態に制御し得る遊技状態制御手段と、を備え、
前記第２抽選の結果が小当りの場合に小当り遊技を実行し、該小当り遊技中に遊技球が特定領域を通過することで所定の遊技利益を遊技者に付与しうるものであり、
前記第２抽選は、前記第１抽選よりも前記小当りに当選する可能性が高いものであり、
前記遊技状態制御手段は、
前記特定遊技状態の開始後、前記第２特別図柄の変動表示回数が所定の限度回数に達した場合に、前記特定遊技状態を終了させる特定遊技状態終了手段と、
前記特定遊技状態の開始後、前記第２特別図柄の変動表示回数が前記限度回数に達することなく前記第１特別図柄の変動表示回数が前記限度回数よりも多い所定回数に達した場合であっても、前記特定遊技状態を終了させずに維持する特定遊技状態維持手段と、を有する
ことを特徴とする遊技機。
【手続補正２】
【補正対象書類名】明細書
【補正対象項目名】０００３
【補正方法】変更
【補正の内容】
【０００３】
また、大当り遊技状態の終了後に通常時に比べて特定の始動口へ遊技球が入球する確率が高められた時短状態に制御する遊技機が多数提案されている（例えば、特許文献１）。
【手続補正３】
【補正対象書類名】明細書
【補正対象項目名】０００５
【補正方法】変更
【補正の内容】
【０００５】
しかしながら、上記した遊技機では、大当り遊技状態の終了後に時短状態に制御された場合に通常時と比べて特定の始動口へ遊技球が入球する確率が高められることで単位時間当たりの大当り発生確率は高まるものの、時短状態で実行される遊技態様については通常時とほとんど変わらないため、遊技自体の面白みに欠け、結果として遊技興趣を低下させるおそれがある。
【手続補正４】
【補正対象書類名】明細書
【補正対象項目名】０００７
【補正方法】変更
【補正の内容】
【０００７】
上記した目的を達成するために、請求項１に係る発明においては、
第１始動口への入球に基づいて第１特別図柄に関する第１抽選を行う第１抽選手段と、
第２始動口への入球に基づいて第２特別図柄に関する第２抽選を行う第２抽選手段と、
前記第１抽選の結果に基づいて、前記第１特別図柄を変動表示し、所定の表示結果を導出させる第１特別図柄表示制御手段と、
前記第２抽選の結果に基づいて、前記第２特別図柄を変動表示し、所定の表示結果を導出させる第２特別図柄表示制御手段と、
通常の遊技状態よりも前記第２始動口への入球可能性を高め得る特定遊技状態に制御し得る遊技状態制御手段と、を備え、
前記第２抽選の結果が小当りの場合に小当り遊技を実行し、該小当り遊技中に遊技球が特定領域を通過することで所定の遊技利益を遊技者に付与しうるものであり、
前記第２抽選は、前記第１抽選よりも前記小当りに当選する可能性が高いものであり、
前記遊技状態制御手段は、
前記特定遊技状態の開始後、前記第２特別図柄の変動表示回数が所定の限度回数に達した場合に、前記特定遊技状態を終了させる特定遊技状態終了手段と、
前記特定遊技状態の開始後、前記第２特別図柄の変動表示回数が前記限度回数に達することなく前記第１特別図柄の変動表示回数が前記限度回数よりも多い所定回数に達した場合であっても、前記特定遊技状態を終了させずに維持する特定遊技状態維持手段と、を有することを特徴とする（例えば、段落０８１４〜０８１８参照）。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
当否判定で当りになると特別遊技を行うと共に、遊技領域に第１領域と第２領域とが設けられており、前記第１領域及び前記第２領域のうちのいずれの領域に遊技球を進入させるかを遊技者が選択可能に構成された弾球遊技機であって、
始動口への入球に起因して前記当否判定を行う当否判定手段と、
前記当否判定で当った後に、遊技球が前記第１領域と前記第２領域とのうちのいずれに進入したかを判定する判定手段と、
前記判定手段による判定結果と、抽選の結果とに基づき、前記特別遊技の内容を決定する決定手段と、
前記判定手段による判定結果に基づき、前記特別遊技の開始に伴い行われる開始演出の継続時間である開始演出時間を選択する選択手段と、
前記選択手段により選択された前記開始演出時間にわたって、前記開始演出を行う演出手段と、
前記決定手段により決定された内容の前記特別遊技を行う特別遊技手段と、
を備え、
前記判定手段により遊技球が前記第１領域に進入したと判定された場合を第１ケースとすると共に、遊技球が前記第２領域に進入したと判定された場合を第２ケースとし、
前記決定手段は、前記第２ケースには、抽選により、遊技者の有利さの異なる複数の選択内容のうちのいずれかを、前記特別遊技の内容として決定し、
遊技者に最も有利な前記選択内容は、前記第１ケースに決定され得る前記特別遊技の内容よりも遊技者に有利であり、
遊技者に最も不利な前記選択内容は、前記第１ケースに決定され得る前記特別遊技の内容よりも遊技者に不利であり、
前記第２ケースに前記選択手段により選択され得る前記開始演出時間の平均的な長さは、前記第１ケースに前記選択手段により選択され得る前記開始演出時間の平均的な長さよりも長く、
前記遊技領域は、
所定の発射強度未満で発射される遊技球が主に転動する左遊技領域と、
前記所定の発射強度以上で発射される遊技球が主に転動する右遊技領域とを含み、
前記第１領域と前記第２領域との一方を前記左遊技領域に配置し、他方を前記右遊技領域に配置することを特徴とする弾球遊技機。
【手続補正２】
【補正対象書類名】明細書
【補正対象項目名】０００６
【補正方法】変更
【補正の内容】
【０００６】
上記課題に鑑みてなされた請求項１に係る発明は、当否判定で当りになると特別遊技を行うと共に、遊技領域に第１領域と第２領域とが設けられており、第１領域及び第２領域のうちのいずれの領域に遊技球を進入させるかを遊技者が選択可能に構成された弾球遊技機に関する。弾球遊技機は、始動口への入球に起因して当否判定を行う当否判定手段と、当否判定で当った後に、遊技球が第１領域と第２領域とのうちのいずれに進入したかを判定する判定手段と、判定手段による判定結果と、抽選の結果とに基づき、特別遊技の内容を決定する決定手段と、判定手段による判定結果に基づき、特別遊技の開始に伴い行われる開始演出の継続時間である開始演出時間を選択する選択手段と、選択手段により選択された開始演出時間にわたって、開始演出を行う演出手段と、決定手段により決定された内容の特別遊技を行う特別遊技手段と、を備える。
また、判定手段により遊技球が第１領域に進入したと判定された場合を第１ケースとすると共に、遊技球が第２領域に進入したと判定された場合を第２ケースとしても良い。そして、決定手段は、第２ケースには、抽選により、遊技者の有利さの異なる複数の選択内容のうちのいずれかを、特別遊技の内容として決定し、遊技者に最も有利な選択内容は、第１ケースに決定され得る特別遊技の内容よりも遊技者に有利であり、遊技者に最も不利な選択内容は、第１ケースに決定され得る特別遊技の内容よりも遊技者に不利であっても良い。さらに、第２ケースに選択手段により選択され得る開始演出時間の平均的な長さは、第１ケースに選択手段により選択され得る開始演出時間の平均的な長さよりも長くても良い。
さらに、前記遊技領域は、所定の発射強度未満で発射される遊技球が主に転動する左遊技領域と、前記所定の発射強度以上で発射される遊技球が主に転動する右遊技領域とを含み、前記第１領域と前記第２領域との一方を前記左遊技領域に配置し、他方を前記右遊技領域に配置しても良い。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】変更
【補正の内容】
【００１１】
また、このような構成によれば、ハイリスク、ハイリターンな第２ケースが選択された場合の開始演出時間を長くすることができる。このため、該場合の開始演出の内容を充実させ、遊技者がリスクを背負ったことに対する特典を付与できる。
【手続補正５】
【補正対象書類名】明細書
【補正対象項目名】００１２
【補正方法】削除
【補正の内容】
【手続補正書】
【提出日】令和2年7月16日(2020.7.16)
【手続補正１】
【補正対象書類名】明細書
【補正対象項目名】０００５
【補正方法】変更
【補正の内容】
【０００５】
このようなＸ線透視撮影システムにおいて、管電流（Ｘ線管に流す電流）を大きくすると、明るい画像が得られるものの被検体の被曝線量が増加し、管電流を小さくすると被検体の被曝線量は低減されるものの画像が暗くなる。そのため、例えば、上記のようなＸ線透視撮影システムを手術支援に用いる際には、手術の進行に応じて、そのとき行われる作業の妨げとならない範囲で被曝線量が小さくなるように、ユーザが操作パネルを適宜操作して管電流の値を変更することが望ましい。
【手続補正２】
【補正対象書類名】明細書
【補正対象項目名】０００７
【補正方法】変更
【補正の内容】
【０００７】
ところで、近年のＸ透視撮影システムでは、被曝量を軽減するため、被検体に対してＸ線をパルス状に照射するパルス透視が可能となっている。このようなＸ線透視撮影システムでは、パルス透視の実行時におけるＸ線条件として、管電流のピーク値又は平均値のいずれかが透視撮影装置の操作パネルに表示される。しかしながら、管電流のピーク値を表示する装置の場合、透視中における被検体の平均被曝量をユーザが直感的に理解しにくいという問題がある。一方、管電流の平均値を表示する装置の場合、Ｘ線照射のパルスレートを変化させたときに管電流の表示値も変化するため、パルス毎のＸ線照射量をユーザが把握しにくく、適切な設定値を決定しづらいという問題がある。
【手続補正３】
【補正対象書類名】明細書
【補正対象項目名】０００８
【補正方法】変更
【補正の内容】
【０００８】
本発明は上記の点に鑑みてなされたものであり、その目的とするところは、パルス透視時における被検体の平均被曝量と、パルス毎のＸ線照射量の両方を、ユーザが容易に把握することのできるＸ線透視撮影装置を提供することにある。
【手続補正４】
【補正対象書類名】明細書
【補正対象項目名】００１５
【補正方法】変更
【補正の内容】
【００１５】
上記構成を有する本発明に係るＸ線透視撮影装置によれば、パルス透視を行う際に、管電流のピーク値及び該管電流の一定時間における平均値が表示部に表示される。そのため、ユーザは表示部に表示されるこれらの値を見て、パルス透視時におけるパルス毎のＸ線照射量と被検体の平均被曝量とを容易に把握することが可能となる。
【手続補正５】
【補正対象書類名】明細書
【補正対象項目名】００２５
【補正方法】変更
【補正の内容】
【００２５】
このように、本実施形態によれば、パルス透視の実行前又は実行中にユーザが透視撮影装置１００の操作パネル１３０に設けられた管電流表示切替ボタン１５３を押下することにより、タッチパネル１４０の操作画面を、管電流をピーク値で表示した状態と平均値で表示した状態との間で遷移させることができる。そのため、被検体へのＸ線照射作業を担当するユーザは、手元の操作パネル１３０に表示されるこれらの値に基づいて、パルス透視時におけるパルス毎のＸ線照射量と被検体の平均被曝量の両方を容易に把握することができる。
【手続補正６】
【補正対象書類名】明細書
【補正対象項目名】００３０
【補正方法】変更
【補正の内容】
【００３０】
１００…透視撮影装置
１１０…筐体
１２０…Ｃアーム
１２１…Ｘ線照射部
１２２…Ｘ線検出部
１３０…操作パネル
１４０…タッチパネル
１５０…表示部
１５１…管電圧表示部
１５２…管電流表示部
１５３…管電流表示切替ボタン
１５４…線量選択部
１５５…パルスレート選択部
１６０…操作部
１６１…タッチセンサ
１６２…操作ボタン
１７１…ＣＰＵ
１７２…メモリ
１７３…記憶部
１７４…Ｘ線照射制御プログラム
１７５…画像処理プログラム
１７６…照射制御部
１７７…表示制御部
１７８…インターフェース
２００…モニタ装置
２１２…メインモニタ
２１３…リファレンスモニタ
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
被写体を撮影することにより取得された原画像から補間画像を生成する補間部と、
前記原画像における注目領域に含まれる画素位置に対応する、前記補間画像の複数の画素位置である対応画素位置の画素値に基づいて、前記原画像の注目領域における前記画素位置の特徴を表す指標値を算出する指標値算出部と、
前記指標値を前記原画像の注目領域における前記画素位置に反映させる反映部とを備えた画像診断支援装置。
【請求項２】
前記原画像は複数のスライス画像からなる３次元画像であり、
前記補間部は、前記複数のスライス画像のスライス間を補間する複数の補間スライス画像を前記補間画像として生成し、
前記指標値算出部は、前記複数の補間スライス画像において、前記指標値の算出の対象となる対象スライス画像に対応する対応補間スライス画像を設定し、前記対象スライス画像の前記注目領域内の画素位置に対応する、前記対応補間スライス画像の対応画素位置の画素値に基づいて、前記対象スライス画像の前記注目領域における画素位置の特徴を表す指標値を算出する請求項１に記載の画像診断支援装置。
【請求項３】
前記指標値算出部は、前記対応補間スライス画像の前記対応画素位置のうちの前記注目領域を表す画素値を有する画素位置の数である注目画素数をカウントし、前記注目画素数を前記対応補間スライス画像の前記対応画素位置の数により除した値を前記指標値として算出する請求項２に記載の画像診断支援装置。
【請求項４】
前記原画像は脳のＣＴ画像であり、前記注目領域は出血領域である請求項２または３に記載の画像診断支援装置。
【請求項５】
前記原画像は２次元画像であり、
前記補間部は、前記原画像の画素間を補間した２次元補間画像を前記補間画像として生成し、
前記指標値算出部は、前記２次元補間画像において、前記原画像における前記指標値の算出の対象となる対象画素位置に対応する対応補間画素位置を設定し、該対応補間画素位置の画素値に基づいて、前記対象画素位置の指標値を算出する請求項１に記載の画像診断支援装置。
【請求項６】
前記補間部は、前記原画像が入力されると前記補間画像を出力する学習がなされたコンボリューショナルニューラルネットワークにより、前記補間画像を生成する請求項１から５のいずれか１項に記載の画像診断支援装置。
【請求項７】
前記反映部は、さらに前記指標値を前記原画像の注目領域における前記画素位置に反映させた反映画像を生成する請求項１から６のいずれか１項に記載の画像診断支援装置。
【請求項８】
前記反映画像を表示部に表示する表示制御部をさらに備えた請求項７に記載の画像診断支援装置。
【請求項９】
被写体を撮影することにより取得された原画像から補間画像を生成し、
前記原画像における注目領域に含まれる画素位置に対応する、前記補間画像の複数の画素位置である対応画素位置の画素値に基づいて、前記原画像の注目領域における前記画素位置の特徴を表す指標値を算出し、
前記指標値を前記原画像の注目領域における前記画素位置に反映させる画像診断支援方法。
【請求項１０】
被写体を撮影することにより取得された原画像から補間画像を生成する手順と、
前記原画像における注目領域に含まれる画素位置に対応する、前記補間画像の複数の画素位置である対応画素位置の画素値に基づいて、前記原画像の注目領域における前記画素位置の特徴を表す指標値を算出する手順と、
前記指標値を前記原画像の注目領域における前記画素位置に反映させる手順とをコンピュータに実行させる画像診断支援プログラム。
【手続補正２】
【補正対象書類名】明細書
【補正対象項目名】００１０
【補正方法】変更
【補正の内容】
【００１０】
なお、本発明による画像診断支援装置においては、原画像は複数のスライス画像からなる３次元画像であり、
補間部は、複数のスライス画像のスライス間を補間する複数の補間スライス画像を補間画像として生成し、
指標値算出部は、複数の補間スライス画像において、指標値の算出の対象となる対象スライス画像に対応する対応補間スライス画像を設定し、対象スライス画像の注目領域内の画素位置に対応する、対応補間スライス画像の対応画素位置の画素値に基づいて、対象スライス画像の注目領域における画素位置の特徴を表す指標値を算出するものであってもよい。
【手続補正３】
【補正対象書類名】明細書
【補正対象項目名】００３７
【補正方法】変更
【補正の内容】
【００３７】
指標値算出部２３は、３次元画像Ｖ０における注目領域に含まれる画素位置に対応する、補間スライス画像の複数の画素位置である対応画素位置の画素値に基づいて、３次元画像Ｖ０の注目領域における画素位置の特徴を表す指標値を算出する。具体的には、複数の補間スライス画像において、指標値の算出の対象となる対象スライス画像に対応する対応補間スライス画像を設定し、対象スライス画像の注目領域内の画素位置に対応する、対応補間スライス画像の対応画素位置の画素値に基づいて、対象スライス画像の注目領域における画素位置の特徴を表す指標値を算出する。
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
電源投入後の遊技中に乱数抽選で当選した場合に遊技者に有利な特別遊技を実行可能な
遊技機において、
前記乱数抽選で当選する確率に関する設定値を記憶し、
前記設定値に関する設定情報を表示可能な設定表示手段の表示制御を行う第１処理モジュールを備え、
電源投入時に第１開始条件を満たす場合には設定値設定処理を実行し、
電源投入時に第２開始条件を満たす場合には設定確認処理を実行し、
前記設定値設定処理は、前記第１処理モジュールを呼び出すことにより前記設定表示手段に前記設定情報を表示しつつ、所定操作に基づいて前記設定値の設定に関する処理を実行し、
前記設定確認処理は、前記第１処理モジュールを呼び出すことにより前記設定表示手段にその時点の前記設定値に関する前記設定情報を表示するように構成した
ことを特徴とする遊技機。
【請求項２】
前記設定表示手段はＬＥＤを用いた発光表示手段であり、
前記第１処理モジュールはダイナミック点灯方式による表示制御を行う
ことを特徴とする請求項１に記載の遊技機。
【請求項３】
電源投入時に所定異常条件を満たす場合に電源再投入待ち処理を実行するように構成し、
前記電源再投入待ち処理では、前記第１処理モジュールを呼び出すことにより前記設定表示手段に異常を示す表示を行う
ことを特徴とする請求項１又は２に記載の遊技機。
【手続補正２】
【補正対象書類名】明細書
【補正対象項目名】０００４
【補正方法】変更
【補正の内容】
【０００４】
このようにパチンコ機に関しては、乱数抽選の当選確率（大当たり確率）を任意に変更することは認められていなかったが、釘調整禁止の徹底等の流れにより、パチンコ機でもスロットマシンと同様に乱数抽選の当選確率に対応する設定値を任意に設定することが認められる方向にある。
ところで、設定値の設定を可能にする場合、設定値の設定を行うための処理はもちろん、設定値を表示するための処理等も新たに設ける必要があるため、主制御プログラムの容量が大幅に増加することが懸念される。
本発明は上記事情に鑑みてなされたものであり、設定値の設定を可能にすることによるプログラム容量の増加を小さく抑えることが可能な遊技機を提供することを目的とする。
【手続補正３】
【補正対象書類名】明細書
【補正対象項目名】０００５
【補正方法】変更
【補正の内容】
【０００５】
本発明は、電源投入後の遊技中に乱数抽選で当選した場合に遊技者に有利な特別遊技を実行可能な遊技機において、前記乱数抽選で当選する確率に関する設定値を記憶し、前記設定値に関する設定情報を表示可能な設定表示手段の表示制御を行う第１処理モジュールを備え、電源投入時に第１開始条件を満たす場合には設定値設定処理を実行し、電源投入時に第２開始条件を満たす場合には設定確認処理を実行し、前記設定値設定処理は、前記第１処理モジュールを呼び出すことにより前記設定表示手段に前記設定情報を表示しつつ、所定操作に基づいて前記設定値の設定に関する処理を実行し、前記設定確認処理は、前記第１処理モジュールを呼び出すことにより前記設定表示手段にその時点の前記設定値に関する前記設定情報を表示するように構成したものである。
また、前記設定表示手段はＬＥＤを用いた発光表示手段であり、前記第１処理モジュールはダイナミック点灯方式による表示制御を行うように構成してもよい。
また、電源投入時に所定異常条件を満たす場合に電源再投入待ち処理を実行するように構成し、前記電源再投入待ち処理では、前記第１処理モジュールを呼び出すことにより前記設定表示手段に異常を示す表示を行ってもよい。
【手続補正４】
【補正対象書類名】明細書
【補正対象項目名】０００６
【補正方法】変更
【補正の内容】
【０００６】
本発明によれば、設定値の設定を可能にすることによるプログラム容量の増加を小さく抑えることが可能である。
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
電源投入後の遊技中に乱数抽選で当選した場合に遊技者に有利な特別遊技を実行可能な
遊技機において、
前記乱数抽選で当選する確率に関する設定値を記憶し、
電源投入時に所定開始条件を満たす場合に、所定操作に基づいて前記設定値の設定を行う設定値設定処理を実行し、
前記設定値設定処理では、前記所定操作の有無を判定して前記所定操作があった場合には前記設定値の設定に関する設定値設定中処理を繰り返し実行し、所定終了条件を満たした場合に該設定値設定処理を終了するように構成し、
前記設定値設定中処理では、所定の待ち時間を設ける所定待ち時間処理の後、前記所定操作に関する操作入力情報を取得する操作入力情報取得処理を実行するように構成した
ことを特徴とする遊技機。
【請求項２】
前記設定値に関する設定情報を表示可能な設定表示手段を備え、
前記設定値設定中処理では、前記設定表示手段の表示制御をダイナミック点灯方式で行う表示制御処理を実行し、
前記表示制御処理では、データ出力タイミングを一定周期に調整するための周期調整待ち時間処理を実行し、
前記周期調整待ち時間処理を前記所定待ち時間処理とする
ことを特徴とする請求項１に記載の遊技機。
【手続補正２】
【補正対象書類名】明細書
【補正対象項目名】０００４
【補正方法】変更
【補正の内容】
【０００４】
このようにパチンコ機に関しては、乱数抽選の当選確率（大当たり確率）を任意に変更することは認められていなかったが、釘調整禁止の徹底等の流れにより、パチンコ機でもスロットマシンと同様に乱数抽選の当選確率に対応する設定値を任意に設定することが認められる方向にある。
ところで、設定値の設定が可能な遊技機で設定値を設定する場合には迅速且つ確実な操作が求められるが、その操作は遊技機の扉を開放してその後側で行うことが想定され、また設定値を設定するための操作手段も基板ケース等の限られたスペースに配置せざるを得ないことから操作環境を万全にすることは難しい。
本発明は上記事情に鑑みてなされたものであり、迅速且つ確実に設定値の設定操作を行うことが可能な遊技機を提供することを目的とする。
【手続補正３】
【補正対象書類名】明細書
【補正対象項目名】０００５
【補正方法】変更
【補正の内容】
【０００５】
本発明は、電源投入後の遊技中に乱数抽選で当選した場合に遊技者に有利な特別遊技を実行可能な遊技機において、前記乱数抽選で当選する確率に関する設定値を記憶し、電源投入時に所定開始条件を満たす場合に、所定操作に基づいて前記設定値の設定を行う設定値設定処理を実行し、前記設定値設定処理では、前記所定操作の有無を判定して前記所定操作があった場合には前記設定値の設定に関する設定値設定中処理を繰り返し実行し、所定終了条件を満たした場合に該設定値設定処理を終了するように構成し、前記設定値設定中処理では、所定の待ち時間を設ける所定待ち時間処理の後、前記所定操作に関する操作入力情報を取得する操作入力情報取得処理を実行するように構成したものである。
また、前記設定値に関する設定情報を表示可能な設定表示手段を備え、前記設定値設定中処理では、前記設定表示手段の表示制御をダイナミック点灯方式で行う表示制御処理を実行し、前記表示制御処理では、データ出力タイミングを一定周期に調整するための周期調整待ち時間処理を実行し、前記周期調整待ち時間処理を前記所定待ち時間処理としてもよい。
【手続補正４】
【補正対象書類名】明細書
【補正対象項目名】０００６
【補正方法】変更
【補正の内容】
【０００６】
本発明によれば、迅速且つ確実に設定値の設定操作を行うことが可能である。
【手続補正書】
【提出日】令和2年2月20日(2020.2.20)
【手続補正１】
【補正対象書類名】特許請求の範囲
【補正対象項目名】請求項１
【補正方法】変更
【補正の内容】
【請求項１】
電源投入後の遊技中に乱数抽選で当選した場合に遊技者に有利な特別遊技を実行可能な
遊技機において、
前記乱数抽選で当選する確率に関する設定値を記憶し、
前記設定値に関する設定情報を表示可能な設定表示手段を備え、
電源投入時に第１開始条件を満たす場合に、遊技に関する遊技処理の実行前に、所定操作に基づいて前記設定値の設定を行う設定値設定処理を実行し、
電源投入時に第２開始条件を満たす場合に、前記遊技処理の実行前に、前記設定表示手段にその時点の前記設定値に関する前記設定情報を表示する設定確認処理を実行し、
前記設定確認処理の実行中及び／又は前記設定確認処理の実行後に、所定時間セキュリティ信号を外部出力するように構成し、
前記設定確認処理の実行中に電断し、その後の電断復帰時に当該設定確認処理を実行することなく前記遊技処理を実行する場合も前記セキュリティ信号を外部出力する
ことを特徴とする遊技機。
【手続補正２】
【補正対象書類名】明細書
【補正対象項目名】０００４
【補正方法】変更
【補正の内容】
【０００４】
このようにパチンコ機に関しては、乱数抽選の当選確率（大当たり確率）を任意に変更することは認められていなかったが、釘調整禁止の徹底等の流れにより、パチンコ機でもスロットマシンと同様に乱数抽選の当選確率に対応する設定値を任意に設定することが認められる方向にある。
またそのような設定値の設定を可能にする場合、設定値の設定や確認等の処理を行った場合には、外部端子からセキュリティ信号を所定時間出力することが望ましく、またそのセキュリティ信号の出力はどのような状況でも確実に行われなければならない。
本発明は上記事情に鑑みてなされたものであり、設定値の確認処理を実行する場合にセキュリティ信号を所定時間確実に出力することが可能な遊技機を提供することを目的とする。
【手続補正３】
【補正対象書類名】明細書
【補正対象項目名】０００５
【補正方法】変更
【補正の内容】
【０００５】
本発明は、電源投入後の遊技中に乱数抽選で当選した場合に遊技者に有利な特別遊技を実行可能な遊技機において、前記乱数抽選で当選する確率に関する設定値を記憶し、前記設定値に関する設定情報を表示可能な設定表示手段を備え、電源投入時に第１開始条件を満たす場合に、遊技に関する遊技処理の実行前に、所定操作に基づいて前記設定値の設定を行う設定値設定処理を実行し、電源投入時に第２開始条件を満たす場合に、前記遊技処理の実行前に、前記設定表示手段にその時点の前記設定値に関する前記設定情報を表示する設定確認処理を実行し、前記設定確認処理の実行中及び／又は前記設定確認処理の実行後に、所定時間セキュリティ信号を外部出力するように構成し、前記設定確認処理の実行中に電断し、その後の電断復帰時に当該設定確認処理を実行することなく前記遊技処理を実行する場合も前記セキュリティ信号を外部出力するものである。
【手続補正４】
【補正対象書類名】明細書
【補正対象項目名】０００６
【補正方法】変更
【補正の内容】
【０００６】
本発明によれば、設定値の確認処理を実行する場合にセキュリティ信号を所定時間確実に出力することが可能である。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
ネットワークで用いるマシンタイプ通信をサポートする無線送受信ユニット（ＷＴＲＵ）を使用する方法であって、
モバイル発信および着信モードから、前記ＷＴＲＵがセル再選択を実行しない省電力モードに変更することを前記ＷＴＲＵに指示する第１のＷＴＲＵタイマーのための第１のタイマーパラメータを要求する非アクセス層（ＮＡＳ）メッセージを前記ネットワークに送信することと、
前記第１のＷＴＲＵタイマーのための第１のタイマー値を前記ネットワークから受信することと、
前記第１のタイマー値に基づいて前記第１のＷＴＲＵタイマーを設定することと、
前記第１のＷＴＲＵタイマーの満了に基づいて前記省電力モードに入ることと
を備える方法。
【請求項２】
前記省電力モードは、モバイル発信のみモードである、請求項１の方法。
【請求項３】
前記ＮＡＳメッセージは、トラッキングエリア更新メッセージ、およびルーティングエリア更新メッセージの少なくとも一つを含む、請求項１の方法。
【請求項４】
前記省電力モードは、前記ＷＴＲＵが、ページング監視、ロケーションエリア更新、およびシステム情報監視の少なくとも一つを実行しないことをさらに備える、請求項１の方法。
【請求項５】
前記ＮＡＳメッセージは、第１のＮＡＳメッセージであり、前記方法は、前記省電力モードから前記モバイル発信および着信モードに変更することを前記ＷＴＲＵに指示する第２のＷＴＲＵタイマーのための第２のタイマーパラメータを要求する第２のＮＡＳメッセージを前記ネットワークに送信することをさらに備える、請求項１の方法。
【請求項６】
前記ＮＡＳメッセージは、前記省電力モードから前記モバイル発信および着信モードに変更することを前記ＷＴＲＵに指示する第２のＷＴＲＵタイマーのための第２のタイマーパラメータをさらに要求する、請求項１の方法。
【請求項７】
前記ＷＴＲＵが、前記ネットワークから、前記第２のＷＴＲＵタイマーのための第２のタイマー値を受信することをさらに備える、請求項５の方法。
【請求項８】
前記ＷＴＲＵが前記第１のタイマー値および前記第２のタイマー値を受信することは、前記ＷＴＲＵが同じメッセージにおいて前記第１のタイマー値および前記第２のタイマー値を受信することを備える、請求項７の方法。
【請求項９】
前記ＷＴＲＵが前記第２のタイマー値に基づいて前記第２のＷＴＲＵタイマーを設定することをさらに備える、請求項８の方法。
【請求項１０】
前記ＷＴＲＵが、前記第２のＷＴＲＵタイマーの満了に基づいて前記省電力モードから抜け出ることをさらに備える、請求項９の方法。
【請求項１１】
前記ＷＴＲＵが前記省電力モードから抜け出た後、前記ＷＴＲＵがロケーションエリア更新メッセージを前記ネットワークに送信することをさらに備える、請求項１０の方法。
【請求項１２】
ネットワークで用いるマシンタイプ通信をサポートする無線送受信ユニット（ＷＴＲＵ）であって、
モバイル発信および着信モードから、前記ＷＴＲＵがセル再選択を実行しない省電力モードに変更することを前記ＷＴＲＵに指示する第１のＷＴＲＵタイマーのための第１のタイマーパラメータを要求する非アクセス層（ＮＡＳ）メッセージを前記ネットワークに送信し、
前記第１のＷＴＲＵタイマーのための第１のタイマー値を前記ネットワークから受信し、
前記第１のタイマー値に基づいて前記第１のＷＴＲＵタイマーを設定し、
前記第１のＷＴＲＵタイマーの満了に基づいて前記ＷＴＲＵが前記省電力モードに入る
ように構成されるプロセッサを備えたＷＴＲＵ。
【請求項１３】
前記省電力モードは、モバイル発信のみモードである、請求項１２のＷＴＲＵ。
【請求項１４】
前記ＮＡＳメッセージは、トラッキングエリア更新メッセージ、およびルーティングエリア更新メッセージの少なくとも一つを含む、請求項１２のＷＴＲＵ。
【請求項１５】
前記省電力モードは、前記ＷＴＲＵが、ページング監視、ロケーションエリア更新、およびシステム情報監視の少なくとも一つを実行しないことをさらに備える、請求項１２のＷＴＲＵ。
【請求項１６】
前記ＮＡＳメッセージは、第１のＮＡＳメッセージであり、前記プロセッサは、前記省電力モードから前記モバイル発信および着信モードに変更することを前記ＷＴＲＵに指示する第２のＷＴＲＵタイマーのための第２のタイマーパラメータを要求する第２のＮＡＳメッセージを前記ネットワークに送信するようにさらに構成される、請求項１２のＷＴＲＵ。
【請求項１７】
前記ＮＡＳメッセージは、前記省電力モードから前記モバイル発信および着信モードに変更することを前記ＷＴＲＵに指示する第２のＷＴＲＵタイマーのための第２のタイマーパラメータをさらに要求する、請求項１２のＷＴＲＵ。
【請求項１８】
前記プロセッサは、前記ネットワークから、前記第２のＷＴＲＵタイマーのための第２のタイマー値を受信するようにさらに構成される、請求項１６のＷＴＲＵ。
【請求項１９】
前記プロセッサは、同じメッセージにおいて前記第１のタイマー値および前記第２のタイマー値を受信するようにさらに構成される、請求項１８のＷＴＲＵ。
【請求項２０】
前記プロセッサは、前記第２のタイマー値に基づいて前記第２のＷＴＲＵタイマーを設定するようにさらに構成される、請求項１９のＷＴＲＵ。
【請求項２１】
前記プロセッサは、前記第２のＷＴＲＵタイマーの満了に基づいて、前記ＷＴＲＵを前記省電力モードから抜け出すようにさらに構成される、請求項２０のＷＴＲＵ。
【請求項２２】
前記ＷＴＲＵが前記省電力モードから抜け出た後、前記プロセッサは、ロケーションエリア更新メッセージを前記ネットワークに送信するようにさらに構成される、請求項１２のＷＴＲＵ。
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
基板と、
前記基板に形成された、試料が移動するための流路と、
前記流路の両端に設けられた一対の空気連通口と、
前記流路における前記一対の空気連通口の間に形成された、試料にサーマルサイクルを与えるためのサーマルサイクル領域と、
前記流路における前記サーマルサイクル領域と少なくとも一方の前記空気連通口との間に形成された分注が可能な領域と、
前記基板の表面と前記分注が可能な領域における流路とを連通する、孔径の異なる複数の孔と、
を備え、
前記複数の孔のうち少なくとも一つの孔から試料が導入されることを特徴とする反応処理容器。
【請求項２】
請求項１の反応処理容器を用いる反応処理方法であって、
前記少なくとも一つの孔と前記分注が可能な領域における流路との間にサーマルサイクルに寄与しない試料が残存することを特徴とする反応処理方法。
【請求項３】
請求項１の反応処理容器を用いて試料にＰＣＲを生じさせる反応処理装置であって、
前記反応処理容器は、前記基板の表面に前記一対の空気連通口を封止するための封止フィルムを備え、
当該反応処理装置は、前記一対の空気連通口に接続する、試料を前記流路内で移動させるためのポンプを備え、
前記ポンプと前記反応処理容器との接続は、前記封止フィルムをニードルで穿孔することによって行われることを特徴とする反応処理装置。
【手続補正２】
【補正対象書類名】明細書
【補正対象項目名】発明の名称
【補正方法】変更
【補正の内容】
【発明の名称】反応処理容器、反応処理方法および反応処理装置
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
各遊技回における特定遊技状態への移行の有無を判定する主制御手段と、
特定の演出実行時に操作手段の操作の反映として少なくとも二つの状態の間で動作可能な可動役物部材と、
外枠と、
前記外枠に対して開閉可能な前面扉と、
前記前面扉の開閉状態を検出可能な開閉検出部と、
前記主制御手段による判定結果に基づいて実行する演出処理において特定の条件で、操作手段の操作に応じて前記主制御手段による判定結果又は前記判定結果を示唆する画像を表示する操作演出処理を実行する手段と、を備えた遊技機であって、
前記開閉検出部によって前記前面扉の開放が検出されている場合に、予め定められた反映条件で、前記操作手段に所定の操作がされていない場合でも当該所定の操作がされた状態を擬似的に受け付けて前記操作演出処理に反映する手段と、
前記可動役物部材が動作しない所定の演出を選択して実行する手段と、
を備えることを特徴とする遊技機。